(57)【要約】【課題】本発明は、液体調味料入れに開閉弁を２次的に作用させることで衛生管理面の問題点を解決し液体調味料使用時流出量を調節可能としさらに誤って転倒した際流出しない構造を併せ持つことを最も主要な特徴とする。【解決手段】容器本体１と注出口１４の間には、液体通路弁作用チューブ９がある。この液体通路弁作用チューブ９は、上端蓋体弁操作部２と弁作動用ロット８さらに弁体を操作する装置１３と連動して動作し閉弁作用付勢スプリング７により未使用時閉弁している。使用時においては、上端蓋体弁操作部２が押し下げられ連動して液体通路弁作用チューブ９が開放する。空気通路弁作用チューブ１２においても同様な動作により容器本体１へ空気が流入することを特徴としている。【選択図】        図３
2004229673.tif 000002
【特許請求の範囲】
【請求項１】
液体調味料を貯留するための容器と、液体調味料が流れ出る出口の間に管路を用いその管路が変形することで閉鎖出来る物を用いる。
【請求項２】
液体調味料を貯留するための容器から液体調味料流出時、空気が流入するが、その空気流入口と容器の間に管路を用い管路が変形することで閉鎖出来る物を用いても良い。
【請求項３】
請求項１、２の管路に、未使用時閉鎖状態を保つような付勢手段を設けるのも良い。
【発明の詳細な説明】
【０００１】
【発明の属する技術分野】
本発明は、液体調味料用容器から液体調味料使用時における流出量等制限装置に関するものである。
【０００２】
【従来の技術】
一般の醤油差しは、誤って倒れた時、中の醤油等が注ぎ口から溢れ出るという問題がある。また容器を傾け液体の自重により容器から管路を通り出口より流出するため、液体調味料を適量この容器から使用するのは、容器の傾けかた如何によるので少量のみ必要な場合特に調節困難であった。
そのため、倒れても中の醤油等がこぼれないようにし適量この容器から醤油等を使用することが出来る流出量制限装置付き液体調味料入れが提案されている。
【０００３】
図１はその一例を示し、実開平６−６２８７３で公開されている。１０は容器本体、１１は容器本体１０の開口部に着脱可能に装着された蓋体である。蓋体１１の前面部には内外に連通する注液通路１２が形成され、この注液通路１２の内側開口と交差するように上下方向に弁体収納孔１３が形成されている。弁体収納孔１３には上記注液通路１２の内側開口を開閉する弁体１４が上下動自在に収容されている。なお、弁体１４の下端部上面には、パッキン１５が装着されている。弁体１４の上端部には横方向の貫通孔１４ａが形成され、この貫通孔１４ａにレバー１６の一端部に設けられた球状部１６ａが挿入されている。
【０００４】
上記レバー１６は蓋体１１に形成された横孔１７に挿入され、中間部に設けた球状部１６ｂを支点として上下方向に揺動自在となっている。レバー１６の他端部は把手部２０の孔２０ａに嵌合されている。把手部２０は、蓋体１１の背面部に１８０度以上の範囲に形成された浅底な凹部１８に嵌合され、上下方向にスライド自在となっている。把手部２０の両端部内面には、凹部１８の両端に形成されたガイド溝１８ａに上下にスライド係合するガイド突起２０ｂが設けられており、把手部２０の外周部の１８０度対象位置には指の引掛部２０ｃが形成されている。把手部２０が上方へスライドすると、レバー１６を介して弁体１４が押し下げられる。この時、弁体１４はレバー１６の球状部１６ａによって押し下げられるので、弁体１４は真っ直ぐ下方へ移動し、傾きを防止できる。レバー１６の把手部２０近傍には閉弁用スプリング２１の一端が係止され、他端が蓋体１１に設けられたピン２２に係止されている。このスプリング２１により把手部２０は下方へ、弁体１４は上方（閉弁方向）へ付勢される。スプリング２１のバネ力は容器本体１０及び蓋体１１の重量の和より小さく設定され、容器本体１０内に液体調味料が全く入っていない状態で把手部２０を持ち上げても、把手部２０を蓋体１１に対して上方へスライドさせることが出来る。そのため、蓋体１１の天面を押さえなくても、把手部２０を持ち上げるだけで弁体１４を開くことができる。
なお、上記実施例では、レバー１６のレバー比、つまり球状部１６ｂから把手部２０までの距離Ｌ１と、球状部１６ｂから球状部１６ａまでの距離Ｌ２との比を適当な値に設定することにより、スブリング２１のばね力に対する閉弁力の大きさを相対的に大きくすることができる。換言すれば、スプリング２１のバネ力を小さくしても十分な閉弁力を得ることができる。
【０００５】
上記醤油注しにおいて、把手部２０を持ち上げると、液体調味料を貯留した容器本体１０及び蓋体１１の重量により把手部２０が蓋体１１に対し相対的に上方へ移動する。これにより、弁体１４は把手部２０と連動して注液通路を開き容器本体１０を傾けることにより使用する。誤って転倒した場合については、弁体１４が付勢手段によって液体流出経路を閉じているので外部へ流出しない。
【０００６】
【発明が解決しようとする課題】
弁体１４は、直接液体調味料に触れるため衛生管理面で劣りさらに液体調味料使用時流出量を調節することが困難なため不便であった。そこで、本発明の目的は、管路自体を閉鎖させることにより衛生管理面の問題点を解決し、液体調味料使用時流出量を調節することができることとし、さらに誤って転倒した際流出しない構造を併せ持つこともできる構造とした液体調味料入れを提案することである。
【０００７】
【課題を解決するための手段】
上記目的を達成するため、本発明の液体調味料入れは、液体調味料を貯留するための容器と、流出口との間に管路を用い、その管路に外力が加わることにより自在に変形可能な管路であり変形することで管路が閉鎖する。これにより管路に外力を加える際、加減することにより液体調味料流出量を調節することが出来る。また、液体調味料を貯留するための容器と、空気の流入口との間に管路を用い、その管路に外力が加わることにより自在に変形可能な管路であり変形することで管路が閉鎖する。これにより管路に外力を加える際、加減することにより液体調味料流出量を調節することも出来る。さらに、付勢手段を用いた場合には、液体調味料未使用時各管路が閉鎖しているため誤って転倒した際流出しない構造となる。よって、弁体が直接液体調味料に触れる構造ではないため衛生管理面の問題点を解決出来る。
【０００８】
【発明の実施の形態】
容器の上部にあるボタンを押す、これにより連結されたロット等が連動し付勢バネ力の効果が減少、管路閉鎖用動作部が移動し管路閉鎖用固定部との間の隙間が開く、隙間が開くことにより管路が閉鎖状態から開放され液体調味料が流れ出る。また、液体調味料が流れ出る際容器内が負圧になるため空気が流入する。この流入経路についても管路を使用しても良く、液路と同様に実施しても良いし個別に実施しても良い。さらに、本発明の液体調味料入れが誤って倒れた時、付勢手段によりそれぞれの管路が閉鎖状態となるので、外部に液体調味料が溢れ出るのを防止できる。
【０００９】
【実施例】
図２〜４は本発明にかかる液体調味料入れの第１実施例を示し、図５、６は本発明に係る液体調味料入れの第２、３実施例を示す。液体調味料を貯留するための容器１の上部にあるボタン２を押す、これにより連結されたロット３等が連動し付勢バネ４のバネ力効果が減少する。管路閉鎖用動作部１０が移動し管路閉鎖用固定部１１との間の隙間が開く、隙間が開くことにより管路５が閉鎖状態から開放され液体調味料が流れ出る。また、液体調味料が流れ出る際容器１内が負圧になるため空気が流入する。この流入口８と容器１の間の経路についても同様に管路６を使用し、管路閉鎖用動作部１０と管路閉鎖用固定部１１との間の隙間が開くため、管路６が閉鎖状態から開放され空気流入パイプ１２を経て容器１に流入する。よって、ボタン１の作動加減により液体調味料流出量を自在に操作できる。また、未使用時誤って倒れた時、付勢バネ４によって管路５、６が閉鎖しているので、外部に液体調味料が溢れ出るのを防止できる。
【００１０】
この実施例において、液体調味料の粘性または必要とする流出量により、管路または流出口の内径を利便性の高い内径に変更して使用することが望ましい。
【００１１】
また、上記実施例は、倒立・正立・横型を示し自在に応用が可能であるので、本発明の趣旨を逸脱しない範囲で変更が可能であることは言うまでもない。さらに、容器の形状材質等にとらわれることが無く、第３実施例図６の動物やマスコット等々自在に変更し実施できる。さらに、容器を幾つか組み合わせることにより一つの容器で複数の液体調味料を貯留することが出来る。
【００１２】
【発明の効果】
以上説明したように本発明の液体調味料流出量制限装置付容器は、開閉弁が液体調味料に直接触れることが無い管路のため、開閉弁が長期に渡って使用することによる汚れが無くなり、衛生管理面で改善する。さらに液体調味料使用時流出量を調節することができるようになる。また、誤って転倒した際流出しない構造も併せ持つことが出来る。
【図面の簡単な説明】
【図１】従来の液体調味料入れの断面図
【図２】本発明に係る液体調味料入れの断面図（未使用時）
【図３】本発明に係る液体調味料入れの断面図（使用時）
【図４】本発明に係る液体調味料入れの断面図（使用時）
【図５】本発明に係る液体調味料入れの第２実施例断面図
【図６】本発明に係る液体調味料入れの第３実施例断面図
【符号の説明】
１    容器
２    ボタン
３    ロット
４    付勢バネ
５    管路
６    管路
７    流出口
８    流入口
９    転倒防止脚
１０    管路閉鎖用動作部
１１    管路閉鎖用固定部
１２    空気流入パイプ
１３      支点
１４    付勢スプリング固定端
１５    キャップ
【図１】
2004229673.tif 000003
【図２】
2004229673.tif 000004
【図３】
2004229673.tif 000005
【図４】
2004229673.tif 000006
【図５】
2004229673.tif 000007
【図６】
2004229673.tif 000008